(57)【要約】【課題】電源のＯＦＦ／ＯＮ後であっても排紙フェンスの位置と給紙台の印刷用紙のサイズに応じて排紙フェンスを必要な位置に設定すること。【解決手段】Ａ４の印刷用紙で印刷した後、電源スイッチをＯＦＦとすると、この時点でのＡ４に合せた排紙フェンス５の位置情報がバックアップメモリ中に格納される。その後、電源を投入し、用紙をより大きいＡ３に変更して印刷を開始すると、制御手段８はバックアップメモリによる排紙フェンス５の位置情報と、給紙機構からの用紙情報とを比較し、排紙台上の用紙サイズが同じか小さい場合にはより大きい給紙サイズの位置に排紙フェンスを移動させ、大きい場合にはそのままとする制御を自動的に行う。【選択図】図３
0003123572.tif 000002
【実用新案登録請求の範囲】
【請求項１】
印刷装置から排出される印刷用紙のサイズに合せて、印刷用紙の収納領域を基台上に区画する排紙フェンスが移動可能とされたオートフェンス排紙台において、
前記排紙フェンスの位置情報を記憶する記憶手段と、
前記印刷装置に供給される印刷用紙のサイズを示す用紙情報を取得して前記記憶手段に記憶された前記排紙フェンスの位置情報と比較し、前記印刷装置に供給される印刷用紙のサイズが前記排紙フェンスで区画される前記収納領域よりも大きい場合に、前記印刷装置に供給される印刷用紙のサイズに適合するように前記排紙フェンスを移動させる制御手段と、
を具備することを特徴とするオートフェンス排紙台。
【請求項２】
前記印刷装置を使用した後に電源をＯＦＦとした場合に、前記排紙フェンスの位置情報を前記記憶手段に記憶することを特徴とする請求項１記載のオートフェンス排紙台。
【請求項３】
前記基台における前記印刷用紙の有無を検出して前記制御手段に用紙有無情報を出力する用紙検知センサを有し、
前記制御手段は、
前記用紙検知センサからの用紙有無情報により、前記基台の上に印刷用紙があると判断した場合には、前記印刷装置に供給される印刷用紙のサイズが前記排紙フェンスで区画される前記収納領域よりも大きい場合にのみ、前記印刷装置に供給される印刷用紙のサイズに適合するように前記排紙フェンスを移動させ、
前記用紙検知センサからの用紙有無情報により、前記基台の上に印刷用紙がないと判断した場合には、前記印刷装置に供給される印刷用紙のサイズが前記排紙フェンスで区画される前記収納領域と同じである場合以外は、前記印刷装置に供給される印刷用紙のサイズに適合するように前記排紙フェンスを移動させることを特徴とする請求項２記載のオートフェンス排紙台。
【考案の詳細な説明】
【技術分野】
【０００１】
本考案は、印刷装置から排出される印刷用紙のサイズに合せて、排紙台上の排紙フェンスを移動させることができるオートフェンス排紙台に係り、特に電源をＯＦＦ後に再度ＯＮとした場合も、排紙台の排紙フェンス位置と給紙台上の用紙サイズを比較して排紙フェンスを必要な位置に移動させることができるオートフェンス排紙台に関するものである。
【背景技術】
【０００２】
印刷装置から排出される印刷用紙のサイズに合せて、排紙台上の排紙フェンスを移動させることができるオートフェンス排紙台が知られている。このオートフェンス排紙台では、給紙台に印刷用紙を設定すると、そのサイズに合せて排紙台上の排紙フェンスを必要に応じて移動し、印刷しようとする印刷用紙のサイズに合せて排紙フェンスの位置を設定することができる。
【考案の開示】
【考案が解決しようとする課題】
【０００３】
ところが、前述したような従来のオートフェンス排紙台では、排紙フェンスの位置情報はバックアップメモリには記憶されておらず、このため、印刷装置の電源をＯＦＦにしてから再びＯＮとした場合に、排紙台の上にまだ印刷用紙があると、排紙台上の印刷用紙のサイズが不明となり、排紙フェンスをどのように移動してよいか不明となり、次の作業で使用される印刷用紙のサイズに係わらず排紙フェンスは最大位置に移動するしかなかった。
【０００４】
図４は従来のオートフェンス排紙台の動作手順を示す流れ図である。
給紙台にＡ４の印刷用紙をセットし（Ｓ１００）、印刷をスタートする（Ｓ１０１）と、排紙フェンスがＡ４の用紙に相当する位置に移動する（Ｓ１０２）。印刷終了後、排紙台の用紙を取らずに印刷装置の電源スイッチをＯＦＦとすると（Ｓ１０３）電源が遮断される（Ｓ１０４）。この時点で、排紙台にＡ４の用紙があり排紙フェンスはＡ４に合せた位置に設定されている等の情報はいずれの記憶手段にも格納されていない。
【０００５】
その後、電源を投入し、給紙台の用紙をより大きいＡ３に変更し（Ｓ１０５）、印刷を開始する（Ｓ１０６）。ここで、排紙台に用紙があると判断されると（Ｓ１０７，ＹＥＳ）、その用紙のサイズを排紙フェンスの位置から認識することはできないので、排紙フェンスは最大位置（ＨＰ）に移動せざるを得ないが（Ｓ１０８）、排紙台に用紙がないと判断されれば（Ｓ１０７，ＮＯ）、排紙フェンスを新たに設置したより大きい用紙であるＡ３に相当する位置に移動することができる（Ｓ１０９）。
【０００６】
本考案は、以上の課題に鑑みてなされたものであり、オートフェンス排紙台において、電源のＯＦＦ／ＯＮ後であっても排紙フェンスの位置と給紙台の印刷用紙のサイズに応じて排紙フェンスを必要な位置に設定できるようにすることを目的としている。
【課題を解決するための手段】
【０００７】
請求項１に記載されたオートフェンス排紙台は、
印刷装置から排出される印刷用紙のサイズに合せて、印刷用紙の収納領域を基台上に区画する排紙フェンスが移動可能とされたオートフェンス排紙台において、
前記排紙フェンスの位置情報を記憶する記憶手段と、
前記印刷装置に供給される印刷用紙のサイズを示す用紙情報を取得して前記記憶手段に記憶された前記排紙フェンスの位置情報と比較し、前記印刷装置に供給される印刷用紙のサイズが前記排紙フェンスで区画される前記収納領域よりも大きい場合に、前記印刷装置に供給される印刷用紙のサイズに適合するように前記排紙フェンスを移動させる制御手段と、
を具備することを特徴としている。
【０００８】
請求項２に記載されたオートフェンス排紙台は、請求項１記載のオートフェンス排紙台において、
前記印刷装置を使用した後に電源をＯＦＦとした場合に、前記排紙フェンスの位置情報を前記記憶手段に記憶することを特徴としている。
【０００９】
請求項３に記載されたオートフェンス排紙台は、請求項２記載のオートフェンス排紙台において、
前記基台における前記印刷用紙の有無を検出して前記制御手段に用紙有無情報を出力する用紙検知センサを有し、
前記制御手段は、
前記用紙検知センサからの用紙有無情報により、前記基台の上に印刷用紙があると判断した場合には、前記印刷装置に供給される印刷用紙のサイズが前記排紙フェンスで区画される前記収納領域よりも大きい場合にのみ、前記印刷装置に供給される印刷用紙のサイズに適合するように前記排紙フェンスを移動させ、
前記用紙検知センサからの用紙有無情報により、前記基台の上に印刷用紙がないと判断した場合には、前記印刷装置に供給される印刷用紙のサイズが前記排紙フェンスで区画される前記収納領域と同じである場合以外は、前記印刷装置に供給される印刷用紙のサイズに適合するように前記排紙フェンスを移動させることを特徴としている。
【考案の効果】
【００１０】
請求項１に記載されたオートフェンス排紙台によれば、電源のＯＦＦ／ＯＮ後において、印刷装置に供給される印刷用紙のサイズが排紙フェンスが区画する収納領域よりも大きい場合には、印刷用紙のサイズに適合するように排紙フェンスを移動させることができる。
【００１１】
請求項２に記載されたオートフェンス排紙台によれば、請求項１記載のオートフェンス排紙台の効果において、特に印刷装置を使用した後に電源をＯＦＦとした場合に、排紙フェンスの位置情報は記憶手段にバックアップとして記憶されるので、次のＯＮ時には制御手段がこの位置情報を読み出して印刷用紙のサイズを示す用紙情報との比較に使用することができる。
【００１２】
請求項３に記載されたオートフェンス排紙台によれば、請求項２記載のオートフェンス排紙台の効果において、前記次のＯＮ時には、制御手段は用紙検知センサの用紙有無情報により排紙台上の前回の印刷用紙の有無を判断し、その結果に応じて排紙フェンスの位置と給紙台の印刷用紙のサイズに応じて排紙フェンスを必要な位置に設定することができる。
【考案を実施するための最良の形態】
【００１３】
図１及び図２は、本例のオートフェンス排紙台１を有する印刷装置の模式的平面構成図であり、詳細を図示しない印刷装置の本体２側には、印刷用紙を供給する給紙機構（図示せず）と、これに印刷を施す印刷機構（図示せず）がある。この本体２の印刷機構に連続して、印刷されて印刷機構から排出された印刷用紙を受け入れる排紙台３が設けられている。
【００１４】
この排紙台３の上には、排出された印刷用紙の収納領域を基台上に区画する排紙フェンス５が設けられている。排紙フェンス５は、印刷用紙の排出方向に垂直な前端縁が突き当たるエンドフェンス５ａと、印刷用紙の排出方向に平行な一対の両側縁に接する一対のサイドフェンス５ｂ，５ｂとを有している。
【００１５】
図１に示すように、排紙台３の上面側の中央には、印刷用紙の排出方向に垂直な１枚のエンドフェンス５ａが、用紙の排出方向に沿って往復移動可能に設けられている。また図２に示すように、排紙台３の上面側において、印刷用紙の排出経路の両側には、印刷用紙の排出方向に平行な一対のサイドフェンス５ｂ，５ｂが、用紙の排出方向と直交する方向に沿って互いに逆方向に往復移動可能に設けられており、その間隔を用紙に合せて任意に設定可能とされている。
【００１６】
エンドフェンス５ａとサイドフェンス５ｂは駆動手段６により上述した態様で移動し、用紙のサイズに合せた所定の位置に設定される。本例では、一例として図１に示すように、エンドフェンス５ａは基線から１０８ｍｍの第１リミット位置から４２８ｍｍのＨＰ位置を経て４３２ｍｍの第２リミット位置までを可動範囲としている。また、一例として図２に示すように、サイドフェンス５ｂはその間隔が１０６ｍｍの第１リミット位置から３２４ｍｍのＨＰ位置を経て３３８ｍｍの第２リミット位置までを可動範囲としている。
【００１７】
図１及び図２に模式的に示すように、排紙台３の央部には、その上に載置される印刷用紙の有無を検出して用紙有無情報を出力する用紙検知センサ７が設けられている。
【００１８】
図１及び図２に示すように、印刷装置の本体２内には、前記排紙フェンス５を駆動する駆動手段６を制御するための制御手段８が設けられている。この制御手段８には、印刷用紙の給紙機構から印刷用紙のサイズを示す用紙情報が入力される。具体的には、例えば印刷用紙の給紙台に用紙のサイズを検出するセンサが設けられ、その出力信号が制御手段８に入力される。また、制御手段８には、前記排紙フェンス５の位置情報が入力される。具体的には、例えば排紙台３に排紙フェンス５の位置を検出するセンサが設けられ、その出力信号が制御手段８に入力される。
【００１９】
図３は本例のオートフェンス排紙台１の動作手順を示す流れ図である。
給紙台にＡ４の印刷用紙をセットし（Ｓ１）、印刷をスタートする（Ｓ２）と、排紙フェンス５がＡ４の用紙に相当する位置に移動する（Ｓ３）。印刷終了後、排紙台５の用紙を取らずに印刷装置の電源スイッチをＯＦＦとすると（Ｓ４）、電源が遮断される前に制御手段８中に設けられた記憶手段であるバックアップメモリに排紙フェンス５の位置情報が書き込まれ（Ｓ５）、その後に電源が遮断される（Ｓ６）。この時点で排紙台３にＡ４の用紙があり、Ａ４に合せた排紙フェンス５の位置情報はバックアップメモリ中に格納されて保持されている。
【００２０】
その後、電源を投入し、給紙台の用紙をより大きいＡ３に変更し（Ｓ７）、印刷を開始する（Ｓ８）。ここで、排紙台３に用紙があると判断されると（Ｓ９，ＹＥＳ）、制御手段８はバックアップメモリから以前の排紙フェンス５の位置情報を読み出し、給紙機構からの用紙情報と比較し、給紙用紙よりも排紙用紙（排紙フェンスの位置による排紙台上の収納領域）の方が大きいと判断すると（Ｓ１０、ＹＥＳ）、排紙フェンス５は移動しないで現在位置を維持する（Ｓ１１）。一方、排紙台３に用紙がないと判断した場合（Ｓ９、ＮＯ）や、給紙用紙の方が排紙用紙（排紙フェンスの位置による排紙台上の収納領域）よりも大きいと判断すると（Ｓ１０、ＮＯ）、排紙フェンスを新たな大きい用紙のサイズであるＡ３の位置に移動させる（Ｓ１２）。
【００２１】
表１は、上述した排紙フェンス５を移動させる際の条件を整理して表したものである。
【００２２】
【表１】
0003123572.tif 000003
【００２３】
本例のオートフェンス排紙台１は、排紙フェンス５を移動させる場合の「１：機能設定」の種類としては、マニュアルとオートがある。マニュアルの場合は、必要に応じて手動で排紙フェンス５を移動させるだけであり、自動的に移動することはない（「動作」×）。
【００２４】
オートの場合は、排紙台３の用紙検知センサ７からの用紙有無情報により制御手段８が排紙有りと判断した場合（「２：排紙台の紙有無状態」において「有り」）と、排紙無しと判断した場合（同「無し」）で制御が異なる。
【００２５】
「有り」の場合において、印刷用紙のサイズを示す用紙情報と排紙フェンス５の位置情報とを比較した結果、用紙のサイズとして同じであった場合（「３：位置情報の変化」において「同じ」）、自動的に移動することはない（「動作」×）。
【００２６】
「有り」の場合において、印刷用紙のサイズを示す用紙情報と排紙フェンス５の位置情報とを比較した結果、印刷用紙のサイズの方が小さい場合（「３：位置情報の変化」において「狭く」）、自動的に移動することはない（「動作」×）。
【００２７】
「有り」の場合において、印刷用紙のサイズを示す用紙情報と排紙フェンス５の位置情報とを比較した結果、印刷用紙のサイズの方が大きい場合（「３：位置情報の変化」において「広く」）、自動的に排紙フェンス５を広げる方向に移動させる（「動作」◎）。
【００２８】
「有り」の場合において、排紙フェンス５の現在位置が不明である場合（「３：位置情報の変化」において「不定」）、自動的に排紙フェンス５をＨＰ位置に移動させる（「動作」△）。
【００２９】
「無し」の場合において、印刷用紙のサイズを示す用紙情報と排紙フェンス５の位置情報とを比較した結果、用紙のサイズとして同じであった場合（「３：位置情報の変化」において「同じ」）、自動的に移動することはない（「動作」×）。
【００３０】
「無し」の場合において、印刷用紙のサイズを示す用紙情報と排紙フェンス５の位置情報とを比較した結果、印刷用紙のサイズの方が小さい場合（「３：位置情報の変化」において「狭く」）、自動的に排紙フェンス５を狭める方向に移動させる（「動作」◎）。
【００３１】
「無し」の場合において、印刷用紙のサイズを示す用紙情報と排紙フェンス５の位置情報とを比較した結果、印刷用紙のサイズの方が大きい場合（「３：位置情報の変化」において「広く」）、自動的に排紙フェンス５を広げる方向に移動させる（「動作」◎）。
【００３２】
「無し」の場合において、排紙フェンス５の現在位置が不明である場合（「３：位置情報の変化」において「不定」）、自動的に排紙フェンス５を広げる方向に移動させる（「動作」◎）。
【００３３】
以上説明したように、本例によれば、オートフェンス排紙台１の排紙フェンス５の位置情報をバックアップメモリに記憶することにより、電源ＯＦＦ／ＯＮ後であっても、排紙台３上の用紙のサイズを識別することができ、給紙台上の用紙サイズと排紙台３上の用紙サイズを比較して、排紙台３上の用紙サイズが同じか小さい場合にはより大きい給紙サイズの位置に排紙フェンス５を移動させ、大きい場合にはそのままとする制御を自動的に行うことができ、電源ＯＦＦ／ＯＮ後であっても排紙フェンス５の位置と給紙台の印刷用紙のサイズに応じて排紙フェンス５を必要な位置に設定することができる。
【図面の簡単な説明】
【００３４】
【図１】本例のオートフェンス排紙台の構成をエンドフェンスを中心として模式的に表す平面構成図である。
【図２】本例のオートフェンス排紙台の構成をサイドフェンスを中心として模式的に表す平面構成図である。
【図３】本例のオートフェンス排紙台の動作手順を表す流れ図である。
【図４】従来のオートフェンス排紙台の動作手順を表す流れ図である。
【符号の説明】
【００３５】
１…オートフェンス排紙台
３…排紙台
５ａ…エンドフェンス
５ｂ…サイドフェンス
６…駆動手段
７…用紙検知センサ
８…制御手段
【図１】
0003123572.tif 000004
【図２】
0003123572.tif 000005
【図３】
0003123572.tif 000006
【図４】
0003123572.tif 000007